(57)【要約】【課題】隠蔽された情報を確認する際に、第１のシェア画像と第２のシェア画像とを正確に合わせなくても、高齢者や身体障害者などでも簡単に、隠蔽された情報を目視で認識できるようにした組み合わせ情報隠蔽印刷物を提供する。【解決手段】視覚復号型暗号によって表示情報を第１のシェア画像と第２のシェア画像とに分散させ、前記第１のシェア画像が表示された透明シートの下側に、前記第２のシェア画像が表示された透明若しくは不透明な媒体を重ね合わせることで、前記表示情報を目視により認識可能に表示することができる組み合わせ情報隠蔽印刷物において、前記第１のシェア画像が表示された透明シートに複数の半球状の微細なレンズが設けられていることを特徴とする。【選択図】        図１
2011037045.tif 000002
【特許請求の範囲】
【請求項１】
視覚復号型暗号によって表示情報を第１のシェア画像と第２のシェア画像とに分散させ、前記第１のシェア画像が表示された透明シートの下側に、前記第２のシェア画像が表示された透明若しくは不透明な媒体を重ね合わせることで、前記表示情報を目視により認識可能に表示することができる組み合わせ情報隠蔽印刷物において、前記第１のシェア画像が表示された透明シートに複数の半球状の微細なレンズが設けられていることを特徴とする組み合わせ情報隠蔽印刷物。
【請求項２】
前記半球状の微細なレンズは、該半球状の微細なレンズの曲面が山形となる状態で前記透明シートに設けられていることを特徴とする請求項１記載の組み合わせ情報隠蔽印刷物。
【請求項３】
前記半球状の微細なレンズが、前記透明シートの上側に設けられ、前記第１のシェア画像が、前記透明シートの裏面に表示されていることを特徴とする請求項１又は請求項２に記載の組み合わせ情報隠蔽印刷物。
【請求項４】
前記第１のシェア画像が、前記半球状の微細なレンズの曲面上に表示されていることを特徴とする請求項１又は請求項２に記載の組み合わせ情報隠蔽印刷物。
【請求項５】
前記透明シートは、２枚の透明シートが上下に重ね合わされ、更に、前記２枚の透明シートの間に複数の半球状の微細なレンズが山形となる状態で設けられている構成を有し、前記第１のシェア画像が、前記２枚の透明シートのうち上側に設けられている透明シートの表面又は裏面に表示されていることを特徴とする請求項１又は請求項２に記載の組み合わせ情報隠蔽印刷物。
【請求項６】
前記第１のシェア画像を構成する画素が、前記半球状の微細なレンズの中心位置と上下方向において、重なり合う位置に表示され、且つ前記第１のシェア画像を構成する画素が、隣り合う半球状の微細なレンズの中心位置には重なり合わない位置に表示されていることを特徴とする請求項３に記載の組み合わせ情報隠蔽印刷物。
【請求項７】
前記第１のシェア画像を構成する画素が、前記半球状の微細なレンズの直径と同じ大きさであり、かつ、レンズの中心位置と画素の中心位置が上下方向において合致することを特徴とする請求項４〜６に記載の組み合わせ情報隠蔽印刷物。
【発明の詳細な説明】
【技術分野】
【０００１】
本発明は、通常の状態で目視しても印刷された情報を読み取ることができないが、第１のシェア画像が印刷されたシートと、第２のシェア画像が印刷されたシートとを重ね合わせて見ることで、所定の隠された情報を目視により読み取ることができるように表示された組み合わせ情報隠蔽印刷物に関する。
【背景技術】
【０００２】
近年、利用者に対し乱数表カードを与え、認証時には指定の位置に記されている番号をキーボードなどから入力させることによってネットワーク上で認証する手法が用いられている。
しかしながら、これらの乱数表カードに記されている内容は、誰が見ても目視で認識できる状態で表示されていることから、第三者が盗み見ることもでき、簡単に第三者でも不正な認証が受けられるという問題があることから、通常の状態では認識できないようにして、正当な利用者だけが何らかの手法を用いることで、それらの隠蔽された情報が可視化できるようにする技術が求められている。
これらのニーズに対する技術の一つとして視覚復号型暗号技術が知られている。
これは画像情報を複数画像（シェア画像）に分散させることによって隠蔽情報とし、正当な利用者がその隠蔽情報を見たいときに、それらの分散された画像を重ね合わせることによって元の画像情報が可視化されて、隠蔽された情報を認識可能とする技術である。（特許文献１及び２、参照）
【０００３】
このような視覚復号型暗号技術を利用することで、例えば、視覚復号型暗号によって第１のシェア画像と第２のシェア画像とに分散させることで隠蔽した印刷情報に対し、前記第１のシェア画像を透明若しくは不透明の媒体上に印刷しておき、また、前記第２のシェア画像を透明シート上に印刷しておくことで、シェア画像を分散させておくことができる。
これにより、個々の分散されたシェア画像だけを見ても、表示されている情報がどのような情報であるのかを簡単にわからないようにしておき、それらの隠蔽した情報を確認する際に、前記第１のシェア画像が表示されたシートを前記第２のシェア画像が表示されたシートに重ね合わせることで、前記印刷情報を目視により認識可能にして、秘密性の高い情報の漏洩を図ることができるようにしている。
【０００４】
しかしながら、それらの隠蔽された情報を確認する際には、第１のシェア画像と第２のシェア画像を正確に重ね合わせる必要があるが、予め定められた位置関係で２枚のシートを正確に重ね合わせことは、指先で微妙な位置合わせを行わなければならず、特に高齢者や身体障害者などにとっては難しい行為であり手間や時間がかかり不便であり、更に正確な位置に重ね合わせないと隠蔽された情報を読み取りにくく、正確な情報を認識できない場合もあるという問題がある。
【先行技術文献】
【特許文献】
【０００５】
【特許文献１】特開２００１−２７４９７１号公報
【特許文献２】特開２００５−２１７５５４号公報
【発明の概要】
【発明が解決しようとする課題】
【０００６】
そこで、本発明は、視覚復号型暗号技術を利用して第１のシェア画像と第２のシェア画像とに分散させることで隠蔽した印刷情報を目視で読み取る際に、第１のシェア画像と第２のシェア画像とを正確に位置合わせなくても、高齢者や身体障害者などでも簡単に、隠蔽された情報を目視で認識できるようにした組み合わせ情報隠蔽印刷物を提供する。
【課題を解決するための手段】
【０００７】
本発明の組み合わせ情報隠蔽印刷物は、視覚復号型暗号によって表示情報を第１のシェア画像と第２のシェア画像とに分散させ、前記第１のシェア画像が表示された透明シートの下側に、前記第２のシェア画像が表示された透明若しくは不透明な媒体を重ね合わせることで、前記表示情報を目視により認識可能に表示することができる組み合わせ情報隠蔽印刷物において、前記第１のシェア画像が表示された透明シートに複数の半球状の微細なレンズが設けられていることを特徴とする。
【０００８】
また、本発明の組み合わせ情報隠蔽印刷物は、前記半球状の微細なレンズは、該半球状の微細なレンズの曲面が山形となる状態で前記透明シートに設けられていることを特徴とする。
【０００９】
更に、本発明の組み合わせ情報隠蔽印刷物は、前記半球状の微細なレンズが、前記透明シートの上側に設けられ、前記第１のシェア画像が、前記透明シートの裏面に表示されていることを特徴とする。
【００１０】
また、本発明の組み合わせ情報隠蔽印刷物は、前記第１のシェア画像が、前記半球状の微細なレンズの曲面上に表示されていることを特徴とする。
【００１１】
更に、本発明の組み合わせ情報隠蔽印刷物は、前記透明シートは、２枚の透明シートが上下に重ね合わされ、更に、前記２枚の透明シートの間に複数の半球状の微細なレンズが山形となる状態で設けられている構成を有し、前記第１のシェア画像が、前記２枚の透明シートのうち上側に設けられている透明シートの表面又は裏面に表示されていることを特徴とする。
【００１２】
また、本発明の組み合わせ情報隠蔽印刷物は、前記第１のシェア画像を構成する画素が、前記半球状の微細なレンズの中心位置と上下方向において、重なり合う位置に表示され、且つ前記第１のシェア画像を構成する画素が、隣り合う半球状の微細なレンズの中心位置には重なり合わない位置に表示されていることを特徴とする。
【００１３】
更に、本発明の組み合わせ情報隠蔽印刷物は、前記第１のシェア画像を構成する画素が、前記半球状の微細なレンズの直径と同じ大きさであり、かつ、レンズの中心位置と画素の中心位置が上下方向において合致することを特徴とする。
【発明の効果】
【００１４】
したがって、本発明の組み合わせ情報隠蔽印刷物は、第１のシェア画像の上側に第２のシェア画像を重ね合わせる際にも、正確に合わせなくても隠蔽されている表示情報を目視で認識することができ、高齢者や身体障害者などでも簡単に、隠蔽化された情報を目視で認識できるという効果がある。
【図面の簡単な説明】
【００１５】
【図１】本発明の組み合わせ情報隠蔽印刷物の仕組みを説明する図である。
【図２】本発明の組み合わせ情報隠蔽印刷物に用いる視覚復号型暗号技術の原理を説明する図である。
【図３】本発明の組み合わせ情報隠蔽印刷物に用いる視覚復号型暗号技術の原理を説明する図である。
【図４】従来の組み合わせ情報隠蔽印刷物において、第１のシェア画像と第２のシェア画像とを重ね合わせた場合に、正確に位置合わせできた状態を説明する図である。
【図５】従来の組み合わせ情報隠蔽印刷物において、第１のシェア画像と第２のシェア画像とを重ね合わせた場合に、正確に位置合わせできなかった状態を説明する図である。
【図６】本発明の組み合わせ情報隠蔽印刷物において、シェア画像と半球状の微細なレンズとの位置関係を説明する平面図である。
【図７】本発明の組み合わせ情報隠蔽印刷物において用いられる、半球状の微細なレンズが設けられている透明シートの断面図である。
【図８】本発明の組み合わせ情報隠蔽印刷物において用いられる、他の構成の半球状の微細なレンズが設けられている透明シートの断面図である。
【図９】図８に示した半球状の微細なレンズが設けられている透明シートにおいて、第１のシェア画像をレンズの局面上に表示した場合を示す断面図である。
【図１０】本願発明の組み合わせ情報隠蔽印刷物を用いて、第１のシェア画像が表示されたシートと、第２のシェア画像が表示されたシートとを重ね合わせて、隠された情報を目視で見た状態を示す図である。
【図１１】本発明の組み合わせ情報隠蔽印刷物において、第１のシェア画像と第２のシェア画像とを重ね合わせた場合に、正確に位置合わせできた状態を説明する図である。
【図１２】本発明の組み合わせ情報隠蔽印刷物において、第１のシェア画像と第２のシェア画像とを重ね合わせた場合に、正確に位置合わせできなかった状態を説明する図である。
【発明を実施するための形態】
【００１６】
以下、本発明の実施形態に係る組み合わせ情報隠蔽印刷物を図面に基づいて詳細に説明する。
図１には、本発明の組み合わせ情報隠蔽印刷物の仕組みを説明する図として、ネットワーク上で認証する手法が用いられている乱数表カードにおいて、隠したい画像である乱数の表示手順と、更に目視により隠蔽された情報を読み取ることを可能とした復号画像にする手順とについて示されている。
まず、図１（ａ）に示すように、乱数表カードにおいて隠したい乱数Ｘが表示された画像を用意する。
そして、次にこの乱数Ｘの画像が表示されたシート１を、視覚復号型暗号技術を利用することで暗号画像として、第１のシェア画像Ａと第２のシェア画像Ｂとに分散させ、それぞれ２つのシート２，３の面にこれらの第１のシェア画像Ａと第２のシェア画像Ｂとを表示させる。
また、乱数表示以外の表示については、予めシート２またはシート３の面に表示させておく。
【００１７】
そして、乱数Ｘの画像を目視により確認したい場合には、図１（ｃ）に示すように、２枚のシート２，３を重ね合わせることで、復号Ｙの画像が表れて乱数Ｘを目視で確認することができる。
２枚のシート２，３を正確に重ね合わせることができるようにするために、上側に重ねるシート２には第１のシェア画像Ａが表示され、下側に重ねるシート３には第２のシェア画像Ｂが表示されており、それらの第１及び第２のシェア画像Ａ，Ｂが表示されている領域の四隅部分に位置あわせ用のトンボ４が表示されている。
【００１８】
上記のように、視覚復号型暗号技術を利用することで第１のシェア画Ａと第２のシェア画像Ｂとの暗号画像に分散させて、それぞれ２つのシート２，３の面に表示させるという方法の一例を、図２〜図５に基づいて説明する。
まず、図２に示すように、暗号化対象画像をＴとし、暗号化により生成される２枚の画像をそれぞれＣ1,Ｃ2とする。
この２枚の画像Ｃ1,Ｃ2は、縦横ともにＴの解像度の２倍とし、Ｔの１つの画素に対し、Ｃ1,Ｃ2のそれぞれ４つの画素を対応させる。
【００１９】
画像Ｃ1,Ｃ2の画素は、図３に示す、Ｐ1〜Ｐ6の６つのパターンのいずれかが使用される。
そして、Ｔの全画素に対して、次の２つのうちどちらかを実行する。
まず、１つ目は、Ｔの画素が白ならばＣ1,Ｃ2の対応する４画素は同じパターンにする。
この場合、Ｐ1〜Ｐ6の中からランダムに１つ選択する。
そして、２つ目は、Ｔの画素が黒ならばＣ1,Ｃ2の対応する４画素は互い違いになるようにする。
この場合、Ｐ1〜Ｐ6の中からランダムに１つ選択し、もう一方はそれを反転したものとする。
【００２０】
そして、第１のシェア画像Ａと第２のシェア画像Ｂとを正確に重ね合わせた場合には、例えば、図４（ａ）に示すＰ3のパターンと、図４（ｂ）に示すＰ4のパターンとが正確に重ね合わされることになり、図４（ｃ）に示すように、重ね合わせ画素５が黒の状態として表示されることになる。
その結果、Ｔの画素が白い部分はシェア画像Ａとシェア画像Ｂを重ね合わせてもＰ1〜Ｐ6のいずれかのパターンとして見えるため、濃度５０%の画素として表示され、Ｔの画素が黒い部分は前述のように濃度１００%の黒い画素となる。この濃度の違いにより復号情報を画像として表示することができる。
しかしながら、第１のシェア画像Ａと第２のシェア画像Ｂとを重ね合わせた際に、正確に重ね合わされなかった場合には、図５に示すように、黒の部分の間に隙間が生じることで、重ね合わせ画素６がはっきりとした黒の状態として表示されないために隠された情報を目視で認識しづらいという不都合が生じる。
【００２１】
したがって、本願発明では、図６〜図９に示すように、第１のシェア画像Ａと第２のシェア画像Ｂとが、それぞれ表示されている２つのシート２，３のうち、隠された画像を目視するために２つのシート２，３を重ね合わせた場合に、上側に位置させるシート２に半球状の微細なレンズ７が複数設けられている。
図６には、２つのシート２，３を重ね合わせた場合に、上側に位置させる透明なシート２の平面図が示されている。
【００２２】
透明なシート２の構成としては、図７に示す透明なシート２ａの構成、図８に示す透明なシート２ｂの構成及び図９に示す構成などがあり、いずれの構成のシートを用いてもかまわない。
まず、図７に示す透明なシート２ａの構成について説明する。
図７に示す透明なシート２ａは、上下に設けられた２つの平面状のシート部８，９と、その２つの平面状のシート部８，９の間に設けられた複数の半球状の微細なレンズ７とにより構成されている。
複数の半球状の微細なレンズ７は、図７に示すように、それらの半球状の微細なレンズ７の平面部分がシート部８側に位置し、また、半球状の微細なレンズ７の曲面部分が平面状のシート部９側に位置している。
【００２３】
半球状の微細なレンズ７の内部は透明樹脂で構成されており、平面状のシート部８とレンズ７とは透明樹脂で一体成形されている。
また、平面状のシート部８とレンズ７とを別々に形成して、それらを透明接着剤で接着させて一体化してもよい。
平面状のシート部８及び半球状の微細なレンズ７と、平面状のシート部９との間には、空洞部１０が設けられ、その空洞部１０は、一般的に空気もしくは真空状態となっている。
また、第１のシェア画像Ａは、平面状のシート部８の裏面側又は平面状のシート部９の表面側のいずれかに表示することができる。
図７には、第１のシェア画像Ａが平面状のシート部９の表面側に表示されている場合が示されているが、第１のシェア画像Ａは、平面状のシート部８の裏面側に表示してもよい。
【００２４】
また、図７に示した透明なシート２ａの断面図では、横方向に３つの半球状の微細なレンズ７が並んでいる状態の図が示されているが、この図の例では、３つに並んでいる半球状の微細なレンズ７の中央に位置しているレンズ７の領域には、第１のシェア画像Ａが印刷されていないが、その左右側に位置しているレンズ７の領域には、第１のシェア画像Ａが印刷されている場合が示されている。
したがって、図７に示した透明なシート２ａでは、３つに並んでいる半球状の微細なレンズ７の中央に位置しているレンズ７を通して、その透明なシート２ａの下側に重ねるシート３に表示されている第２のシェア画像Ｂの画素部分を見ることができるようになっている。
つまり、図７に示した透明なシート２ａでは、その左右側に位置しているレンズ７の領域には、第１のシェア画像Ａが印刷されているので、上方から見た場合でも、第１のシェア画像Ａの画素部分だけが見えて、その透明なシート２ａの下側に重ねるシート３に表示されている第２のシェア画像Ｂの画素部分を見ることができない。
【００２５】
図１１には、透明なシート２ａの下側にシート３を重ねて上側から見た場合の例が示されているが、この図１１において、黒色の四角部分が透明なシート２ａに表示されている第１のシェア画像Ａの画素部分であり、また黒色の円形部分が、透明なシート２ａの下側に重ねたシート３に表示されている第２のシェア画像Ｂの画素部分を、透明なシート２ａに設けられている半球状の微細なレンズ７を通して上方から眺めた際に見える部分である。
この場合に、透明なシート２ａに設けられている半球状の微細なレンズ７を通して上方から眺めた際でも、シート３に表示されている第２のシェア画像Ｂがない領域では、透明なシート２ａに設けられている半球状の微細なレンズ７を通して上方から眺めた際でも白色に見えることになる。
【００２６】
図１０には、本願発明の組み合わせ情報隠蔽印刷物を用いて、第１のシェア画像Ａが表示されたシート２ａと、第２のシェア画像Ｂが表示されたシート３とを重ね合わせて、隠された情報を目視で見る際の状態が示されている。
この場合に、半球状の微細なレンズ７が作用して、シート２ａを介して上面側からシェア画像Ｂを見ると、シェア画像Ｂの中心部分が拡大して見える。
そのために、第１のシェア画像Ａと第２のシェア画像Ｂとが正確に重ね合わされた場合には、図１１に示すように見えるが、第１のシェア画像Ａが表示されたシート２ａと、第２のシェア画像Ｂが表示されたシート３とを重ね合わせた際に、若干位置がずれた場合でも、図１２に示すように、図１１に示す状態と同様な状態として目視することができる。
【００２７】
図１０では、第１のシェア画像Ａを構成する画素が、半球状の微細なレンズ７直径と同じ大きさであり、かつ、レンズの中心位置と画素の中心位置が上下方向において合致するように構成されている例を示している。
本例のようにシェア画像Aがレンズ７の上部に形成されている場合は、第１のシェア画像Ａを構成する画素が、半球状の微細なレンズ７直径と同じ大きさであり、かつ、レンズの中心位置と画素の中心位置が上下方向において合致するように構成されていることが好ましい。
次に、図８に示す透明なシート２ｂの構成について説明する。
図８に示す透明なシート２ｂは、平面状のシート部８と、その平面状のシート部８の上側に設けられた複数の半球状の微細なレンズ７とにより構成されている。
半球状の微細なレンズ７の内部は透明樹脂で構成されており、平面状のシート部８とレンズ７とは透明樹脂で一体成形されている。
【００２８】
また、平面状のシート部８の裏面側には、第１のシェア画像Ａが表示されている。
このような構成のシートを第２のシェア画像Ｂが表示されたシート３とを重ね合わせても前述の図７に示す透明なシート２ａの時と同様に、第１のシェア画像Ａと第２のシェア画像Ｂとが正確に重ね合わされた場合には、図１１に示すように見え、第１のシェア画像Ａが表示されたシート２ａと、第２のシェア画像Ｂが表示されたシート３とを重ね合わせた際に、若干位置がずれた場合でも、図１２に示すように、図１１に示す状態と同様な状態として目視することができる。
【００２９】
本例に示すようにシェア画像Aがレンズ７の下部に形成されている場合は、第１のシェア画像Ａを構成する画素が、半球状の微細なレンズ７の中心位置と上下方向において、重なり合う位置に表示され、且つ前記第１のシェア画像Ａを構成する画素が、隣り合う半球状の微細なレンズ７の中心位置には重なり合わない位置に表示されていればよく、必ずしも第１のシェア画像Ａを構成する画素が、半球状の微細なレンズ７直径と同じ大きさであり、かつ、レンズの中心位置と画素の中心位置が上下方向において合致するように構成されている必要はない。
なぜならシェア画像Aもレンズ７を通して目視されるため、シェア画像Aの中心部分が拡大して見えることから本来のレンズの中心位置に画素が表示されていればよく、その画素形状や画素中心位置は関与せず、隣接するレンズの中心位置に画素が表示されていなければよい。
【００３０】
次に、図９に示す透明なシート２ｃの構成について説明する。
図９に示す透明なシート２ｃは、図８に示す透明なシート２ｂと同様に、平面状のシート部８と、その平面状のシート部８の上側に設けられた複数の半球状の微細なレンズ７とにより構成されているが、第１のシェア画像Ａが半球状の微細なレンズ７の曲面上に表示されている。
このような構成のシートを第２のシェア画像Ｂが表示されたシート３とを重ね合わせても前述の図７に示す透明なシート２ａの時と同様な効果が得られる。
また、第１のシェア画像Ａを構成する画素は、半球状の微細なレンズ７の直径と同じ大きさであり、かつ、レンズの中心位置と画素の中心位置が上下方向において合致するように表示されていることが好ましい。
【００３１】
以上、幾つかの形状例について説明してきたが、第２のシェア画像Ｂが表示されているシート３は、必ずしも透明でなくてもよく、不透明であってもよい。
また、上記した本願発明の組み合わせ情報隠蔽印刷物の実施形態の説明では、第２のシェア画像Ｂが表示されている媒体をシート３として説明したが、第２のシェア画像Ｂが表示されている媒体は、必ずしもシートに限定されず、透明なシート２を重ね合わせて隠された情報を見ることができるようにする用途に用いる媒体であればどのような形体の媒体であっても適応できる。
【００３２】
上記のように、本発明の組み合わせ情報隠蔽印刷物では、第１のシェア画像が裏面側に印刷された透明シートの表面側に、半球状の微細なレンズが設けられているので、第１のシェア画像Ａが表示されたシート２ａと、第２のシェア画像Ｂが表示されたシート３とを重ね合わせた際に、若干位置がずれた場合でも隠蔽された情報を目視により確認できるので、高齢者や身体障害者など簡単に、隠蔽化された情報を目視で認識できる。
【符号の説明】
【００３３】
１，２，２ａ，２ｂ，３  シート
４  位置あわせ用のトンボ
５，６  重ね合わせ画素
７  半球状の微細なレンズ
８，９  シート部
１０  空洞部
【図１】
2011037045.tif 000003
【図２】
2011037045.tif 000004
【図３】
2011037045.tif 000005
【図４】
2011037045.tif 000006
【図５】
2011037045.tif 000007
【図６】
2011037045.tif 000008
【図７】
2011037045.tif 000009
【図８】
2011037045.tif 000010
【図９】
2011037045.tif 000011
【図１０】
2011037045.tif 000012
【図１１】
2011037045.tif 000013
【図１２】
2011037045.tif 000014